(57)【要約】本発明は、折畳み装置、横裁断装置、枚葉紙積み重ね装置またはローラ巻き取りシステムのような後処理装置の印刷機に対する位置決め装置に関し、第１位置決め装置（１３）が設けられた少なくとも１つの移動式後処理装置を備え、後処理装置（７）が再現可能に印刷機に対して位置決め可能であるように、第１位置決め装置（１３）が、基礎部（８）に固定された他の位置決め装置（１４）と協働する。
2005522347.tif 000002
【特許請求の範囲】
【請求項１】
第１位置決め装置（１３）が設けられた少なくとも１つの移動式後処理装置（７）を備え、前記後処理装置（７）が再現可能に印刷機に対して位置決め可能であるように、前記第１位置決め装置（１３）が、基礎部（８）に固定された他の位置決め装置（１４）と協働する、印刷機の後処理装置の位置決め装置。
【請求項２】
前記後処理装置に設けられた前記第１位置決め装置（１３）が、円錐形の外部輪郭を有し、前記基礎部（８）に固定された前記他の位置決め装置（１４）が、前記円錐形の外部輪郭を受入れ可能な対応する円錐形の凹所であることを特徴とする、請求項１に記載の装置。
【請求項３】
前記後処理装置（７）が上昇および下降可能に移動式台枠（１０）上に配置されている、または、他の持ち上げ装置が前記後処理装置（７）を移動させるために設けられていることを特徴とする、請求項１または２に記載の装置。
【請求項４】
前記第１位置決め装置（１３）に荷重を支持するための脚体（２１）が設けられていることを特徴とする、請求項１〜３のいずれかに記載の装置。
【請求項５】
前記後処理装置（７）に、前記基礎部（８）に固定された円柱形のボルト（１５）と協働するＵ字形の収容部（１６）が設けられており、それによって、前記第１および他の位置決め装置（１３，１４）が互いに大まかに事前位置決め可能であることを特徴とする、請求項１〜４のいずれかに記載の装置。
【請求項６】
前記後処理装置が、折畳み装置、横裁断装置、枚葉紙積み重ね装置またはローラ巻き取りシステムであることを特徴とする、請求項１〜５のいずれかに記載の装置。
【請求項７】
各後処理装置に、前記基礎部（８）の対応する他の位置決め装置（１４）とそれぞれ協働する２つの位置決め装置（１３）が設けられていることを特徴とする、請求項１〜６のいずれかに記載の装置。
【発明の詳細な説明】
【技術分野】
【０００１】
本発明は、請求項１の特徴による印刷機の後処理装置の位置決め装置に関する。
【背景技術】
【０００２】
印刷機において、被印刷物を後処理することのできる装置を設けることが一般的に知られている。この種の装置は、印刷線に沿って配置されており、たとえば被印刷ウェブを縦および／または横に折り畳み、それを裁断するおよび／または製品を積み重ねることができる。同様に、被印刷ウェブを再びローラに巻き取る装置も知られている。しかしながら、通常、印刷機はこのような装置を１つのみ備えており、他の装置との交換は、印刷機の設置後に複雑な組立を要する改造によってのみ可能である。この種の時間を要する改造は２種の印刷ジョブの間では不可能なので、被印刷物の後処理装置は、据え付けられた装置だけに限定されている。
【発明の開示】
【発明が解決しようとする課題】
【０００３】
上記を出発点として、本発明の目的は、印刷機でこの種の装置の簡単な交換を可能にする装置を提供することである。
【課題を解決するための手段】
【０００４】
この課題は、本発明により請求項１の特徴によって解決される。
【０００５】
本発明に係る装置によれば、有利で簡単な方法で、たとえば枚葉紙積み重ね装置、折畳み装置またはローラ巻き取り装置のような種々の後処理装置を印刷機において互いに交換することが可能となる。そのため、本発明は、固定された位置決め装置を基礎部に、対応する他の位置決め装置を後処理装置に設けており、これらの装置を互いに係合させることができ、かつ簡単に互いに切り離すこともできる。それによって、被印刷ウェブまたは他の印刷物の柔軟な後処理を許容する簡単かつ迅速な交換が可能となる。
【０００６】
有利には、各後処理装置のための移動式台枠が設けられ、この台枠を用いることで、後処理装置を簡単に印刷機に向かって移動させることができ、かつ、上昇／下降機構によって位置決め装置を互いに係合または互いに切り離すことができる。
【０００７】
後処理装置を基礎部に固定するための付加的手段を設けることも有利とすることができる。
【０００８】
他の特徴および利点は、詳細な説明と関係する従属請求項から生じる。
【０００９】
以下、本発明の特徴を、好ましい実施形態を利用してより詳しく説明する。
【発明を実施するための最良の形態】
【００１０】
図１に、巻き出し装置１と、送りユニット２と、複数の印刷ユニット３，４と、インキで湿った被印刷ウェブ６を乾燥させるための乾燥装置５とから構成されるウェブ印刷機を例示する。被印刷ウェブ６は、本例において、ローラ巻き取りシステム７によってローラ上に巻き取られる。全構造群は、好ましくは平坦な基礎部８上に配置されている。ローラ巻き取りシステム７は、本発明に係る位置決め装置を備えており、たとえば枚葉紙積み重ね装置を備えた横裁断装置または折畳み装置と交換することができる。後処理装置は、本実施例において上昇および下降可能な移動式台枠上に配置されている。
【００１１】
移動式台枠に代えて、たとえば室内クレーンのような他の持ち上げ装置で後処理装置を移動し、本発明に係る位置決め装置を利用して印刷機に位置決めすることも可能である。
【００１２】
位置決め装置の詳細は、部分Ｘを拡大して示す図２から明らかである。
【００１３】
図２ａは、後処理装置、たとえば巻き取りシステム、枚葉紙積み重ね装置または折畳み装置が配置されている台枠１０の脚部を示す。台枠１０は、好ましくは持ち上げ装置１１によって持ち上げることができる４つの脚点を有し、それによって台枠１０を後処理装置も含めてローラ１２上で移動させることができる。図２ａは、台枠１０が好ましくは方向転換可能なローラ１２上で図示しない印刷機へ移動される間の、脚点の上昇位置を図示している。後処理装置の大まかな事前位置決めのために、台枠１０にＵ字形の収容部１６を設けることができ、この収容部１６は、台枠１０が移動させられた時に、基礎部８に固定された円柱形のボルト１５へ押し付けられる。ボルト１５に当接するまで収容部１６が押しつけられることによって、台枠１０は、図２ｂから明らかなように、台枠１０に配置された第１位置決め装置１３が基礎部８に固定された他の位置決め装置１４のほぼ上に位置するように事前位置決めされている。第１位置決め装置１３は、好ましくは円錐形の外部輪郭を有し、この外部輪郭は、円錐形の凹所として基礎部８に形成された他の位置決め装置１４内に台枠１０が下降する際に入り込み、それによって後処理装置を備えた台枠１０が内部および外部円錐体の間の形状嵌合によって位置決めされる。もちろん位置決め装置１３，１４に別の好適な形状を設けることも可能である。好ましくは、ボルト１５および関連する位置決め装置１４が、基礎部８に固定された共通の板２３（図２ｄ）に配置される。
【００１４】
完全に下降した台枠１０が図２ｃに示されている。この位置で、上昇／下降装置１１は、完全に負荷を解除されている。台枠１０を上昇させるために油圧シリンダが作動され、それによって継ぎ手式に取り付けられたホイール１２を基礎部８に対して緊定し、それによって台枠１０を持ち上げる。好ましくは同時に作動する複数の上昇／下降装置１１が１つの台枠１０に設けられ、それによって後処理装置が鉛直方向に上昇または下降される。位置決め装置１３、１４の協働は、図２ｃの部分Ｙに対応して図２ｄに拡大して図示している。
【００１５】
図２ｄから、ねじ２４によって基礎部８に固定され、円錐形の凹所１４を有するとともにボルト１５を支持する板２３が明らかである。円錐形の外部輪郭１３は円錐形の凹所１４の中に収容され、それによって脚点の位置が基礎部平面（ｘ−ｙ方向）に固定される。位置決め装置１３および１４を簡単に互いに係合させることができるように、ボルト１５の高さは、上昇位置の収容部１６をボルト１５に向かって移動させることができ、収容部１６が下降時に該ボルトに案内され得るように設定されている。この場合、位置決め装置１３，１４自体の円錐座の位置が芯合せされるので、収容部１６とボルト１５との間に多少の遊びを設けてもよい。
【００１６】
異なる枠台１０上の複数の後処理装置を基礎部８に固定された位置決め装置１４にはめ込むために、台枠１０に設けられた位置決め装置１３を水平面（ｘ−ｙ方向）で調整可能に配置することができる。台枠１０または後処理装置の高さ（ｚ方向）を事前決定できるように、位置決め装置１３を高さ調整可能にすることができる。そのため、位置決め装置１３は、図示した実施例において、所望の高さに従って台枠１０の雌ねじにねじ止めされるとともに他のナット２２で固定されるねじボルト２０に配置されている。
【００１７】
位置決め装置１３に、台枠１０の荷重を支持する脚体２１を付加的に設けることができる。脚体２１は、位置決め装置１３，１４が遊びなしに互いに挿入されたとき、直ちに力を吸収するように配置されなければならない。脚体２１、位置決め装置１３およびねじボルト２０は、一体の部材として製造されていてもよいし、または、複数の部材から構成されていてもよい。
【００１８】
図３は、図１のＡ方向矢視による台枠１０の平面図である。有利には、前記位置に加えて印刷機の乾燥装置５に対する後処理装置の角度方向も規定するために、それぞれ２つの位置決め装置１３，１４を設けている。２つの収容部１６がどのようにボルト１５に事前位置決めされ、下降中に互いに離間して配置された２つの位置決め装置１３，１４によって台枠１０の位置および角度方向がどのように規定されるかが明らかである。
【００１９】
一般的に、後処理装置および台枠１０の重さは、動作のために確実かつ充分な耐久性を保証する。しかしながら、台枠１０が脚点で基礎部８に対して緊定されるようにする、たとえばブラケットのような付加的な緊定手段を設けてもよい。
【００２０】
本発明の本質的な核心は、移動式後処理装置に取り付けられた他の位置決め装置と協働する１つまたは複数の固定された位置決め装置が、印刷機に対する相対的な後処理装置の位置が再現可能に規定されるように、印刷機に関して配置されることに見られる。対応する位置決め装置を備えた多くの様々な任意の後処理装置を提供して、これら位置決め部材を固定された相手側部材にはめ込むことができ、それによって、前記後処理装置は、迅速に印刷機に位置決めされ、かつ、短時間で余計な調節作業および他の適合作業なしに使用準備することができる。
【図面の簡単な説明】
【００２１】
【図１】本発明により位置決めされたローラ巻き取り手段を備えたウェブ印刷機の一例である。
【図２ａ】移動式台枠上の後処理装置が位置決めされる時の図１の部分Ｘの拡大図である。
【図２ｂ】移動式台枠上の後処理装置が位置決めされる時の図１の部分Ｘの拡大図である。
【図２ｃ】移動式台枠上の後処理装置が位置決めされる時の図１の部分Ｘの拡大図である。
【図２ｄ】図２ｃの部分Ｙの拡大図である。
【図３】図１のＡ方向矢視図である。
【符号の説明】
【００２２】
１  巻き出し装置
２  送りユニット
３，４  印刷ユニット
５  乾燥装置
６  被印刷ウェブ
７  巻き取りシステム（横裁断装置、折畳み構造）
８  基礎部
１０  台枠
１１  上昇／下降装置
１２  ホイール／ローラ
１３  位置決め装置（円錐形外部輪郭）
１４  位置決め装置（円錐形凹所）
１５  ボルト
１６  収容部
２０  ねじボルト
２１  脚部
２２  ナット
２３  板
２４  ねじ
【図１】
2005522347.tif 000003
【図２ａ】
2005522347.tif 000004
【図２ｂ】
2005522347.tif 000005
【図２ｃ】
2005522347.tif 000006
【図２ｄ】
2005522347.tif 000007
【図３】
2005522347.tif 000008
【国際調査報告】
2005522347.tif 000009
2005522347.tif 000010
2005522347.tif 000011
2005522347.tif 000012